【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
臨床検査の精度管理に関する表示画面を表示可能な精度管理システムであって、
ユーザ端末と、
前記ユーザ端末とネットワークを介して接続された精度管理サーバと、を備え、
前記ユーザ端末は、精度管理用試料の選択を受け付け、受付結果を前記精度管理サーバに送信し、
前記精度管理サーバは、前記ユーザ端末から送信された前記受付結果に基づいて、前記精度管理用試料のカテゴリーに応じた表示画面を前記ユーザ端末に表示させることを特徴とする精度管理システム。
【請求項２】
前記精度管理用試料のカテゴリーは、精度管理用試料が使用される装置が、特定のメーカの装置に限定されるか否かによって分けられていることを特徴とする請求項１記載の精度管理システム。
【請求項３】
前記表示画面は、精度管理の結果を示す精度管理結果画面への移行操作を受け付けるための画面であることを特徴とする請求項２記載の精度管理システム。
【請求項４】
前記精度管理サーバは、選択された精度管理用試料が第1のカテゴリーに属するとき、互いに異なるカテゴリーに属する精度管理用試料に共通した集計方法による共通の前記精度管理結果画面への移行操作と、特定のカテゴリーに属する精度管理用試料に特有の集計方法による個別の前記精度管理結果画面への移行操作とを受け付ける第1の前記表示画面を前記ユーザ端末に表示させ、選択された精度管理用試料が第２のカテゴリーに属するとき、前記共通の精度管理結果画面への移行操作を受け付けるが、前記個別の精度管理結果画面への移行操作を受け付けない第2の前記表示画面を前記ユーザ端末に表示させることを特徴とする請求項３記載の精度管理システム。
【請求項５】
前記第1のカテゴリーは、精度管理用試料が使用される装置が特定のメーカの装置に限定され、前記第２のカテゴリーは、精度管理用試料が使用される装置が特定のメーカの装置に限定されないことを特徴とする請求項４記載の精度管理システム。
【請求項６】
前記第1のカテゴリーに属する精度管理用試料は、血球分析装置、血液凝固測定装置、又は尿測定装置に使用され、前記第２のカテゴリーに属する精度管理用試料は、生化学分析装置に使用されることを特徴とする請求項５記載の精度管理システム。
【請求項７】
臨床検査の精度管理に関する表示画面を表示可能な精度管理サーバであって、
精度管理に関する前記表示画面の表示制御を行う表示制御部を備え、
前記表示制御部は、ユーザが使用する精度管理用試料のカテゴリーに応じた前記表示画面を表示することを特徴とする精度管理サーバ。
【請求項８】
前記表示制御部は、異なるカテゴリーに属する精度管理用試料に共通した集計方法による共通の精度管理結果表示画面と、
特定のカテゴリーに属する精度管理用試料に特有の集計方法による個別の精度管理結果表示画面と、が表示可能であり、
さらに前記表示制御部は、前記特定のカテゴリーに属する精度管理用試料を使用するユーザに対しては、当該カテゴリー用の個別の精度管理結果表示画面と前記共通の精度管理結果表示画面を表示可能とする、ことを特徴とする請求項７記載の精度管理サーバ。
【請求項９】
システムへログインするユーザの認証を行うログイン部と、
ユーザ毎にユーザの属性情報が記憶されている記憶部と、をさらに備え、
前記表示制御部は、ユーザの認証が成功した場合に、前記記憶部に記憶されているユーザの属性情報に基づいて、ユーザに応じた前記表示画面を表示することを特徴とする請求項７又は８記載の精度管理サーバ。
【請求項１０】
前記属性情報は、ユーザの使用する検査装置を示す情報であり、
前記表示制御部は、前記属性情報に基づいて、システムへログインしたユーザから検査装置の選択を受け付けることができるように構成されており、前記ユーザが行った検査装置の選択に基づいて、ユーザが使用する精度管理用試料のカテゴリーに応じた前記表示画面を表示することを特徴とする請求項９記載の精度管理サーバ。
【請求項１１】
ネットワークを介して検査の精度管理データを受信して集計する精度管理サーバであって、
精度管理用試料の測定結果を含む精度管理データを受信する受信部と、
受信した精度管理データが属するカテゴリーを判別する試料判別部と、
前記試料判別部による判別結果に基づいて前記精度管理データを蓄積するデータベースと、を備えていることを特徴とする精度管理サーバ。
【請求項１２】
前記データベースは、異なるカテゴリーに属する精度管理用試料の精度管理データを蓄積する共通データベースを含み、
共通データベースのデータフォーマットとは異なる精度管理データを前記共通データベースに蓄積するためにデータフォーマットを変換するデータ変換部を備えていることを特徴とする請求項１１記載の精度管理サーバ。
【請求項１３】
前記データ変換部は、不足データを補うデータ補完部を備えていることを特徴とする請求項１２記載の精度管理サーバ。
【請求項１４】
コンピュータを請求項７〜１３のいずれかに記載の精度管理サーバとして機能させるためのコンピュータプログラム。
【手続補正２】
【補正対象書類名】明細書
【補正対象項目名】発明の名称
【補正方法】変更
【補正の内容】
【発明の名称】精度管理システム、精度管理サーバ及びコンピュータプログラム
【手続補正３】
【補正対象書類名】明細書
【補正対象項目名】０００８
【補正方法】変更
【補正の内容】
【０００８】
本発明は、精度管理方法に応じて精度管理用試料をカテゴリー分けしておけば、システムが、精度管理用試料のカテゴリーに応じて、自動的に複数の精度管理方法に対応することができるであろうという着想に基づくものである。
すなわち、本発明は、臨床検査の精度管理に関する表示画面を表示可能な精度管理システムであって、ユーザ端末と、前記ユーザ端末とネットワークを介して接続された精度管理サーバと、を備え、前記ユーザ端末は、精度管理用試料の選択を受け付け、受付結果を前記精度管理サーバに送信し、前記精度管理サーバは、前記ユーザ端末から送信された前記受付結果に基づいて、前記精度管理用試料のカテゴリーに応じた表示画面を前記ユーザ端末に表示させることを特徴とするものである。
また、本発明は、検査の精度管理に関する表示画面を表示可能な精度管理サーバであって、精度管理に関する前記表示画面の表示制御を行う表示制御部を備え、前記表示制御部は、ユーザが使用する精度管理用試料のカテゴリーに応じた前記表示画面を表示することを特徴とするものである。
【手続補正４】
【補正対象書類名】明細書
【補正対象項目名】００１０
【補正方法】変更
【補正の内容】
【００１０】
前記表示制御部は、異なるカテゴリーに属する精度管理用試料に共通した集計方法による共通の精度管理結果表示画面と、特定のカテゴリーに属する精度管理用試料に特有の集計方法による個別の精度管理結果表示画面と、が表示可能であり、さらに前記表示制御部は、前記特定のカテゴリーに属する精度管理用試料を使用するユーザに対しては、当該カテゴリー用の個別の精度管理結果表示画面と前記共通の精度管理結果表示画面を表示可能とするのが好ましい。
この場合、ユーザは、異なるカテゴリーに共通した集計方法による精度管理結果も閲覧できるし、当該カテゴリー用の集計方法による精度管理結果も閲覧することができる。
【手続補正５】
【補正対象書類名】明細書
【補正対象項目名】００３１
【補正方法】変更
【補正の内容】
【００３１】
ここで、第１カテゴリーに属する精度管理用試料の精度管理データと、第２カテゴリーに属する精度管理用試料の精度管理データとは、データフォーマット及びデータ項目が互いに異なる。
例えば、前者の精度管理データは、データ項目として、検査装置の種類（ロット番号、濃度レベル）、検査項目（血球分析装置であれば、赤血球数、白血球数等）、検査項目ごとの精度管理用試料の測定値、検査日時などを含んでおり、これらのデータが第１カテゴリー用の専用フォーマットで記述されている。